(57)【要約】【課題】パネル素体どうしの継ぎ目が可及的に目立たなくなり、外観上、全体として一体感を向上させることができる構成の建築用パネルおよびパネル素体を提供する。【解決手段】パネル素体１Ａ，１Ｂは、外面に、一方向に連続する複数の凹部３と、凹部３の間に形成された凸部４とを有する。パネル素体１Ａ，１Ｂの凹部３の形成方向に対して直角をなす方向２の一端に、凹部３の底面３ａから延出させた延出部１９を有する。パネル素体１Ｂの他端の凸部４に、隣接するパネル素体１Ａの延出部１９に嵌合する溝部２０を有する。凹部３の底面３ａと延出部１９との間に、底面３ａ側から延出部１９にわたって次第に外側に突出する傾斜面２４を形成する。溝部２０を、延出部１９に、傾斜面２４が露出するように嵌合して隣接するパネル素体１Ａ，１Ｂどうしを結合する。【選択図】図３
2015190174.tif 000002
【特許請求の範囲】
【請求項１】
複数のパネル素体を組み合わせてなり、
前記パネル素体は、外面に、一方向に連続して形成される凹部と、凹部の間に形成された凸部とを有し、
前記パネル素体の前記凹部の形成方向に対して直角をなす方向の一端に、前記凹部の底面から前記直角をなす方向に延出させた延出部を有すると共に、他端の凸部に、隣接するパネル素体の延出部に嵌合する溝部を有し、前記延出部と前記溝部とを嵌合することにより、隣接するパネル素体どうしを結合してなる建築用パネルにおいて、
前記凹部の底面と前記延出部との間に、前記底面側から前記延出部にわたって次第に外側に突出する傾斜面を形成し、
前記溝部を、前記延出部に、前記傾斜面が露出するように嵌合して隣接するパネル素体どうしを結合したことを特徴とする建築用パネル。
【請求項２】
請求項１に記載の建築用パネルにおいて、
前記延出部の前記底面側を外側に隆起させ、その隆起部の前記底面側に前記傾斜面を形成し、
前記隆起部に前記溝部の開口端部を当接させて隣接するパネル素体どうしを結合したことを特徴とする建築用パネル。
【請求項３】
外面に、一方向に連続して形成される凹部と、凹部の間に形成された凸部とを有し、
前記凹部の形成方向に対して直角をなす方向の一端に、前記凹部の底面から前記直角をなす方向に延出させた延出部を有すると共に、前記凹部の底面と前記延出部との間に、前記底面側から前記延出部にわたって次第に外側に突出する傾斜面を形成し、
前記凹部の形成方向に対して直角をなす方向の他端の凸部に、隣接するパネル素体の延出部に嵌合する溝部を有することを特徴とするパネル素体。
【発明の詳細な説明】
【技術分野】
【０００１】
本発明は、サイディング等として用いられる建築用パネルおよびパネル素体に関する。
【背景技術】
【０００２】
サイディング等に用いられる従来の建築用パネルは、図８に示すように、パネル素体１Ａ，１Ｂの外面に溝状をなす複数の凹部３を平行に形成し、その凹部３３の間に凸部４を形成し、一方のパネル素体１Ａの一端に凹部３の底面３ａから外面が底面３ａと同面をなすように延出させた延出部１９を形成し、他方のパネル素体１Ｂの端部に溝部２０を形成し、延出部１９と溝部２０とを互いに嵌合することにより、パネル素体１Ａ，１Ｂどうしを結合して構成している。この構造と同じ構造を採用したものとして、特許文献１に記載のものがある。
【先行技術文献】
【特許文献】
【０００３】
【特許文献１】特開２０１０−１３８６７号公報
【発明の概要】
【発明が解決しようとする課題】
【０００４】
しかしながら、図８に示すように構成された建築用パネルの凹部３のコーナー部３ｂを矢印２６に示すように斜めに見た場合、コーナー部３ｂでは矢印２７に示すように光が反射する一方、延出部１９と溝部２０との結合部の境目を矢印２９に示すように見た場合、延出部１９と溝部２０との嵌合部からは光を反射せず、筋状の部分として目視される。このため、パネル素体１Ａ，１Ｂどうしの継ぎ目が目視により識別され、一体感のあるパネルを実現しにくいという問題点がある。
【０００５】
本発明は、上記問題点に鑑み、パネル素体どうしの継ぎ目が可及的に目立たなくなり、外観上、全体として一体感を向上させることができる建築用パネルおよびパネル素体を提供することを目的とする。
【課題を解決するための手段】
【０００６】
請求項１の建築用パネルは、複数のパネル素体を組み合わせてなり、
前記パネル素体は、外面に、一方向に連続して形成される凹部と、凹部の間に形成された凸部とを有し、
前記パネル素体の前記凹部の形成方向に対して直角をなす方向の一端に、前記凹部の底面から前記直角をなす方向に延出させた延出部を有すると共に、他端の凸部に、隣接するパネル素体の延出部に嵌合する溝部を有し、前記延出部と前記溝部とを嵌合することにより、隣接するパネル素体どうしを結合してなる建築用パネルにおいて、
前記凹部の底面と前記延出部との間に、前記底面側から前記延出部にわたって次第に外側に突出する傾斜面を形成し、
前記溝部を、前記延出部に、前記傾斜面が露出するように嵌合して隣接するパネル素体どうしを結合したことを特徴とする。
【０００７】
請求項２の建築用パネルは、請求項１に記載の建築用パネルにおいて、
前記延出部の前記底面側を外側に隆起させ、その隆起部の前記底面側に前記傾斜面を形成し、
前記隆起部に前記溝部の開口端部を当接させて隣接するパネル素体どうしを結合したことを特徴とする。
【０００８】
請求項３のパネル素体は、外面に、一方向に連続して形成される凹部と、凹部の間に形成された凸部とを有し、
前記凹部の形成方向に対して直角をなす方向の一端に、前記凹部の底面から前記直角をなす方向に延出させた延出部を有すると共に、前記凹部の底面と前記延出部との間に、前記底面側から前記延出部にわたって次第に外側に突出する傾斜面を形成し、
前記凹部の形成方向に対して直角をなす方向の他端の凸部に、隣接するパネル素体の延出部に嵌合する溝部を有することを特徴とする。
【発明の効果】
【０００９】
請求項１の発明によれば、隣接する一方のパネル素体の一端に設けた延出部と凹部の底面との間に傾斜面を形成し、他方に延出部に嵌合する溝部を形成し、延出部と溝部とを、傾斜面が外部に露出するように嵌合したので、パネル素体の継ぎ目に位置する傾斜面から、凹部のコーナー部と同様の光の反射が生じるため、継ぎ目が目立たなくなり、パネル全体としての一体感のあるパネルを提供できる。
【００１０】
請求項２の発明によれば、前記延出部の前記傾斜面側端部を外側に隆起させ、その隆起部に、前記溝部の開口端部を当接させる構成としたので、パネル素体どうしを組み合わせる際に、溝部を延出部に容易に嵌合でき、組立における作業性が向上する。また、溝部と延出部とが線接触するため、継ぎ目に隙間が生じにくくなり、より継ぎ目が目立たなくなる。
【００１１】
請求項３の発明によれば、建築用パネルを構成するパネル素体として、継ぎ目が目立たない建築用パネルを提供することが可能となる。
【図面の簡単な説明】
【００１２】
【図１】本発明の建築用パネルの一実施の形態を示す斜視図である。
【図２】本実施の形態の建築用パネルの取付け構造例を示す断面図である。
【図３】本実施の形態のパネル素体どうしの結合部分を拡大して示す断面図である。
【図４】図３の一部拡大断面図である。
【図５】本発明の建築用パネルの他の実施の形態を示す断面図である。
【図６】本発明の建築用パネルの他の実施の形態をさらに示す断面図である。
【図７】本発明の建築用パネルの他の実施の形態をさらに示す断面図である。
【図８】従来の建築用パネルを示す断面図である。
【発明を実施するための形態】
【００１３】
本発明の建築用パネルの一実施の形態を示す斜視図である。図１において、１Ａ〜１Ｃはパネル素体であり、図中、中央部のパネル素体１Ｂは矢印２方向について全幅について描いてあり、他のパネル素体１Ａ，１Ｃは矢印２方向について一部のみが描いてある。これらのパネル素体１Ａ〜１Ｃは組み合わせることによってパネル１を構成する。
【００１４】
パネル素体１Ａ〜１Ｃは、その外面に、底面が平面をなす凹部３と、凹部３との間の凸部４とを有する。これらの凹部３および凸部４は、矢印５の方向に連続して形成される。本実施の形態においては、凹部３の幅Ｗ１と凸部４の幅Ｗ２とを略同幅に形成した例を示すが、これらは異なる幅に形成してもよい。また、凹部３と凸部４の数は任意に設定される。
【００１５】
パネル素体１Ａ〜１Ｃは矢印２の方向、すなわち凹部３や凸部４の形成方向(矢印５に示す。)に対して直角をなす方向の幅が数十ｃｍ、例えば４０ｃｍ程度の幅を有する。また凹部３や凸部４の形成方向である矢印５の方向については、数ｍ、例えば４ｍの長さを有するものである。勿論、これらの寸法は上記以外に設定することも可能である。
【００１６】
このパネル１は主としてサイディングを構成することを目的として構成されるものであり、サイディングとして用いる場合、矢印２の方向を縦にして用いるか、あるいは矢印５の方向を縦にして用いる。なお、このパネル１は、内壁あるいは天井等、他の建築用パネルとしても使用可能である。
【００１７】
図２はこのパネル１を住宅のサイディングとして用いた場合の施工例であり、図２において、７は柱、８は柱７の室内側に設置する石膏ボード、９は柱７の室外側に設置する胴縁、１０は防水紙、１１は断熱、防音用のガラスウールである。１２はパネル素体１Ａ〜１Ｃを胴縁９および柱７に取付けるくぎやねじ等の固定具である。
【００１８】
図３は本実施の形態のパネル素体１Ａ，１Ｂ.の結合部分を拡大して示す断面図、図４は図３の一部拡大断面図である。本実施の形態は、前記凹部３や凸部４を形成したパネル素体１Ａ，１Ｂの外装板１４が例えば鋼板等の金属板のロール成形および折曲げによって構成され、裏面板１５と外装板１４との間に発泡材でなる断熱材１６を充填して構成した例を示す。なお、裏面板１５としては、金属板や繊維強化樹脂シートあるいは紙等を用いることができる。
【００１９】
パネル素体１Ａの一端側には、凹部３が形成され、この一端側の裏面側には、柱７等の躯体に固定具１２によりパネル素体１Ａを固定するための取付け部１８を、凹部３の形成方向に対して直角をなす方向(図１の矢印２の方向)に延出させて形成する。また、矢印２の方向の一端に、凹部３の底面３ａから後述の傾斜面２４を介して延出させて、パネル素体１Ａ，１Ｂを結合するための延出部１９を形成する。
【００２０】
一方、パネル素体１Ａに結合するパネル素体１Ｂの端部の凸部４に、パネル素体１Ａの延出部１９に嵌合する溝部２０を形成する。この溝部２０を形成するため、パネル素体１Ｂの端部における凸部４の裏面側は、パネル素体１Ａ側に延出した延出部２１を設ける。そして本実施の形態においては、この延出部２１は、パネル素体１Ａ側の取付け部１８と延出部１９との間の溝部２２の奥面２２ａに当接することにより、パネル素体１Ａに対するパネル素体１Ｂの近接位置限界が設定されるように構成されている。なお、図２に示したパネル素体１Ａ，１Ｂの固定具１２による固定位置により、パネル素体１Ａ，１Ｂの位置を設定する場合もある。２３は凸部４の溝部２０の奥部に嵌め込んだゴムまたは発泡材等でなる気密材である。
【００２１】
２４はパネル素体１Ａの凹部３の底面３ａと、延出部１９との間に形成された傾斜面であり、この傾斜面２４は、底面３ａ側から延出部１９側にわたって次第に外側に突出するように形成されている。そしてパネル素体１Ａと１Ｂとの結合は、溝部２０を、延出部１９に、傾斜面２４が露出するように嵌合することにより行なう。パネル素体３のコーナー部３ａと傾斜面２４の距離は、パネル素体１Ａ，１Ｂの端部以外のコ字形をなす凹部３のコーナー部３ｂ，３ｂ間の距離に等しく形成される。すなわち、傾斜面２４は、コ字形のコーナー部３ｂに相当する位置に設けられる。
【００２２】
この構成によれば、図３に矢印２６で示すように、凹部３のコーナー部３ｂを斜めに見た場合、コーナー部３ｂからの矢印２７に示す反射光が目視される。また、延出部１９と溝部２０とからなる結合部、すなわち継ぎ目を矢印２９方向に見た場合、傾斜面２４が存在することにより、傾斜面２４からの反射光３０が目視される。このため、パネル素体１Ａ，１Ｂ間の継ぎ目が目立たなくなり、パネル１全体としての一体感のあるパネルを提供できる。
【００２３】
図５は本発明の他の実施の形態を示す断面図であり、図１〜図４と同一符号は同じ部品、部分を示す。本実施の形態は、延出部１９の先端ほど溝部２０の内面との間の隙間が拡大されるように、延出部１９に傾斜面１９ａを形成したものである。
【００２４】
図５の実施の形態によれば、躯体に予め取付けられたパネル素体１Ａに対してパネル素体１Ｂを取付けて結合する際に、溝部２０を延出部１９に嵌合しやすくなり、パネル施工時の作業性が向上する。
【００２５】
なお、延出部１９に傾斜面１９ａを設けるのではなく、溝部２０の延出部１９の外側の対向面を傾斜面にしたり、延出部１９と溝部２０の両者に傾斜面を形成してもよい。
【００２６】
図６は本発明の他の実施の形態を示す断面図であり、図１〜図５と同一符号は同じ部品、部分を示す。本実施の形態は、延出部１９の傾斜面２４側端部に、外側に隆起する隆起部１９ｂを形成し、その隆起部１９ｂの底面３ａ側に傾斜面２４を形成し、隆起部１９ｂに溝部２０の開口端部を当接させて隣接するパネル素体１Ａ，１Ｂどうしを結合したものである。
【００２７】
図６の実施の形態によれば、図５の実施の形態以上に溝部２０を延出部１９に対する嵌合抵抗が小さく、嵌合しやすくなり、パネル施工時の作業性がより向上する。また、溝部２０と延出部１９とが線接触するため、継ぎ目に隙間が生じにくくなり、より継ぎ目が目立たなくなる。
【００２８】
図７は本発明の他の実施の形態を示す断面図であり、図１〜図６と同一符号は同じ部品、部分を示す。本実施の形態は、金属板でなる外装板３１を中空状に形成したものである。この図７の実施の形態においても、前述のように外観を向上させることができる。なお、外装板３１を中空状としない波板状として構成してもよい。
【００２９】
本発明の建築用パネルは、外装板１４，３１としてアルミニウム等の押出形材を用いたものにも適用できる。また、本発明を実施する場合、本発明の要旨を逸脱しない範囲において、パネル素体の具体的構造について、種々の変更、付加が可能である。
【符号の説明】
【００３０】
１  建築用パネル
１Ａ〜１Ｃ  パネル素体
３  凹部
３ａ  底面
３ｂ  コーナー部
４  凸部
１４，３１  外装板
１５  裏面板
１６  断熱材
１８  取付け部
１９  延出部
１９ａ  傾斜面
１９ｂ  隆起部
２０  溝部
２３  気密材
２４  傾斜面
【図１】
2015190174.tif 000003
【図２】
2015190174.tif 000004
【図３】
2015190174.tif 000005
【図４】
2015190174.tif 000006
【図５】
2015190174.tif 000007
【図６】
2015190174.tif 000008
【図７】
2015190174.tif 000009
【図８】
2015190174.tif 000010